(57)【要約】【課題】本技術は、ヒータを有する電子写真方式の画像形成装置において、ヒータ駆動回路によるデメリットを低減することができる構成を有する画像形成装置を提供する。【解決手段】画像形成装置１は、ヒータ５２と、交流電源からの交流電力を整流して、ヒータに通電する電流をＰＷＭ制御する第１ヒータ駆動回路と、交流電源をヒータ５２に通電する第２ヒータ駆動回路とを備えている。さらに、画像形成装置１は、ヒータ５２を駆動する駆動回路を、第１ヒータ駆動回路と第２ヒータ駆動回路とのいずれか一方に切り替える切替スイッチ回路１０１と、切替スイッチ回路１０１での駆動回路の切り替えを制御する制御部７とを備える。【選択図】図２
2019049654.tif 000002
【特許請求の範囲】
【請求項１】
ヒータと、
交流電源からの交流電力を整流して、前記ヒータに通電する電流をＰＷＭ制御する第１ヒータ駆動回路と、
交流電源を前記ヒータに通電する第２ヒータ駆動回路と、
前記ヒータを駆動する駆動回路を、前記第１ヒータ駆動回路と前記第２ヒータ駆動回路とのいずれか一方に切り替える切替回路と、
前記切替回路での駆動回路の切り替えを制御する制御部とを備える、画像形成装置。
【請求項２】
前記切替回路は、前記ヒータと前記第１ヒータ駆動回路との間で、かつ前記ヒータと前記第２ヒータ駆動回路との間に設ける、請求項１に記載の画像形成装置。
【請求項３】
前記切替回路は、前記ヒータの両端にそれぞれ設けられている、請求項２に記載の画像形成装置。
【請求項４】
前記制御部は、前記画像形成装置の動作モードに応じて前記切替回路での駆動回路の切り替えを制御し、
前記動作モードが、画像形成モードおよび待機モードである場合に、前記第１ヒータ駆動回路で前記ヒータを駆動するように前記切替回路を切り替え、
前記動作モードが、ウォームアップモードである場合に、前記第２ヒータ駆動回路で前記ヒータを駆動するように前記切替回路を切り替える、請求項１〜請求項３のいずれか１項に記載の画像形成装置。
【請求項５】
前記制御部は、前記ヒータの両端に設けた前記切替回路のうち、一方の前記切替回路で駆動回路を切り替えた場合、他方の前記切替回路でも所定時間内に駆動回路の切り替えを行うように制御する、請求項３に記載の画像形成装置。
【請求項６】
前記制御部は、前記ヒータの両端に設けた前記切替回路のうち、一方の前記切替回路で駆動回路を切り替えた場合、他方の前記切替回路も同じタイミングで駆動回路の切り替えを行うように制御する、請求項３に記載の画像形成装置。
【請求項７】
前記制御部は、前記第１ヒータ駆動回路において、前記ＰＷＭ制御のデューティ比が１００％となる駆動を行う場合、駆動回路を前記第２ヒータ駆動回路に切り替えるように前記切替回路を制御する、請求項１〜請求項６のいずれか１項に記載の画像形成装置。
【請求項８】
前記制御部は、連続して画像を形成する処理が実行されている場合、駆動回路を前記第２ヒータ駆動回路に切り替えずに、前記第１ヒータ駆動回路で駆動するように前記切替回路を制御する、請求項７に記載の画像形成装置。
【請求項９】
前記制御部は、待機時の場合、駆動回路を前記第２ヒータ駆動回路に切り替えずに、前記第１ヒータ駆動回路で駆動するように前記切替回路を制御する、請求項７に記載の画像形成装置。
【請求項１０】
前記制御部は、前記切替回路に対して前記第１ヒータ駆動回路から前記第２ヒータ駆動回路への切り替えを制御する場合、前記第２ヒータ駆動回路で駆動するタイミングを、前記第１ヒータ駆動回路の電位が所定電位以下となるまでの期間後にする、請求項１〜請求項９のいずれか１項に記載の画像形成装置。
【請求項１１】
前記第２ヒータ駆動回路は、交流電源を前記ヒータに通電するか否かの制御を行うためのトライアックをさらに含む、請求項１〜請求項１０のいずれか１項に記載の画像形成装置。
【請求項１２】
前記制御部は、前記切替回路に対して前記第２ヒータ駆動回路から前記第１ヒータ駆動回路への切り替えを制御する場合、前記第２ヒータ駆動回路から前記ヒータへの通電が、前記トライアックのオフ状態から交流電源の周波数の半周期経過後に、前記第１ヒータ駆動回路への切り替えを制御する、請求項１１に記載の画像形成装置。
【請求項１３】
前記トライアックのゼロクロスのタイミングを検出するゼロクロス検出部をさらに備え、
前記制御部は、前記切替回路に対して前記第２ヒータ駆動回路から前記第１ヒータ駆動回路への切り替えを制御する場合、前記ゼロクロス検出部が検出した前記トライアックのゼロクロスのタイミング以降に、前記第１ヒータ駆動回路への切り替えを制御する、請求項１１に記載の画像形成装置。
【請求項１４】
前記ヒータの温度を検出する温度検出部をさらに備え、
前記制御部は、
前記温度検出部で検出した温度が所定の閾値より高い場合、前記切替回路に対して前記第１ヒータ駆動回路へ切り替える制御を行い、
前記温度検出部で検出した温度が所定の閾値以下の場合、前記切替回路に対して前記第２ヒータ駆動回路へ切り替える制御を行う、請求項１〜請求項１３のいずれか１項に記載の画像形成装置。
【請求項１５】
前記ヒータが前回オフ状態となってから次にオン状態となるまでの期間を計測する計時部をさらに備え、
前記制御部は、
前記計時部によって計測された期間が所定期間内の場合、前記切替回路に対して前記第１ヒータ駆動回路へ切り替える制御を行い、
前記計時部によって計測された期間が所定期間より長い場合、前記切替回路に対して前記第２ヒータ駆動回路へ切り替える制御を行う、請求項１〜請求項１４のいずれか１項に記載の画像形成装置。
【請求項１６】
ユーザが省エネモードか否かを選択する選択部をさらに備え、
前記制御部は、
前記選択部で前記省エネモードが選択されなかった場合、前記ウォームアップモードにおいて、前記ヒータの温度が第１所定温度に達するまで、前記切替回路に対して前記第１ヒータ駆動回路へ切り替えを行わず、
前記選択部で前記省エネモードが選択された場合、前記ウォームアップモードにおいて、前記ヒータの温度が前記第１所定温度よりも低い第２所定温度に達するまで、前記切替回路に対して前記第１ヒータ駆動回路へ切り替えを行わない、請求項４に記載の画像形成装置。
【請求項１７】
前記ヒータの温度を検出する温度検出部と、
前記ウォームアップモード後の前記ヒータの設定温度を設定する設定部とをさらに備え、
前記制御部は、
前記温度検出部で検出した温度と前記設定温度との差が所定の値より小さい場合、前記切替回路に対して前記第１ヒータ駆動回路へ切り替える制御を行い、
前記温度検出部で検出した温度と前記設定温度との差が所定の値以上の場合、前記切替回路に対して前記第２ヒータ駆動回路へ切り替える制御を行う、請求項４に記載の画像形成装置。
【請求項１８】
待機開始時から待機終了時までの待機期間を計測する待機計時部をさらに備え、
前記制御部は、
前記待機計時部によって計測された待機期間が所定の基準内の場合、前記切替回路に対して前記第１ヒータ駆動回路へ切り替える制御を行い、
前記待機計時部によって計測された待機期間が所定の基準より長い場合、前記切替回路に対して前記第２ヒータ駆動回路へ切り替える制御を行う、請求項１〜請求項１７のいずれか１項に記載の画像形成装置。
【発明の詳細な説明】
【技術分野】
【０００１】
この発明は画像形成装置に関し、特に、ヒータを有する画像形成装置に関する。
【背景技術】
【０００２】
従来、電子写真方式の画像形成装置として、下記の特許文献１〜３等に記載のものがある。特許文献１に記載の画像形成装置では、交流電源に駆動されるヒータの構成においてフィルタ部に短絡用のスイッチが設けられており、電力制御（位相制御）の状態によりフィルタ部で短絡を行うか否かを選択することができる。また、特許文献２に記載の画像形成装置では、交流電源電圧として２００Ｖ系を用いるのか１００Ｖ系を用いるのかを判定し、その判定結果に応じてトライアックで倍電圧整流と全波整流とを切り替えている。
【０００３】
さらに、特許文献３に記載の画像形成装置では、３本のセラミックヒータを有し、そのうちの１本のセラミックヒータに対して専用の第一電力供給手段で電力を供給し、他の２本のセラミックヒータに対しては、共通の第二電力供給手段で電力を供給する構成である。特許文献３に記載の画像形成装置では、他の２本のセラミックヒータを切り替える際に、定着機の温度低下を防ぐため、第二電力供給手段を停止した場合、第一電力供給手段より１本のセラミックヒータに対して電力を供給している。
【先行技術文献】
【特許文献】
【０００４】
【特許文献１】特開２０１７−０４４９５４号公報
【特許文献２】特開平１０−３３３４９０号公報
【特許文献３】特開２００２−０７２７２６号公報
【発明の概要】
【発明が解決しようとする課題】
【０００５】
画像形成装置では、画像を定着させる場合に定着部に内蔵されるヒータを加熱する。このヒータを加熱するヒータ駆動回路には、交流電源からの交流電力をオン／オフしてヒータを加熱する単純なヒータ駆動回路、交流電源からの交流電力の位相を制御してヒータを加熱する位相制御のヒータ駆動回路、交流電源からの交流電力を整流回路により直流化し、高速スイッチング素子で供給する電力を制御してヒータを加熱するＰＷＭ制御のヒータ駆動回路などが知られている。ＰＷＭ制御のヒータ駆動回路は、単純なヒータ駆動回路に比べ、ヒータに供給する電力を高い精度で制御することができ、位相制御のヒータ駆動回路と比べても力率、電力効率が高く、騒音の発生を抑えることができるメリットがある。
【０００６】
しかし、ＰＷＭ制御のヒータ駆動回路は、高周波チョッピングを行う必要があるので、ノイズ対策用のノイズフィルタ回路が大きくなり、更に全波整流回路およびスイッチング素子での電力損失が生じるデメリットがある。特に、ＰＷＭ制御のヒータ駆動回路は、電源投入後やスリープ復帰後などのウォームアップモードで高い精度の電力制御が不要で１００％の電力をヒータに印加する場面においても、全波整流回路およびスイッチング素子での電力損失が必ず生じていた。そのため、特許文献１〜３に記載の画像形成装置のように、上記のいずれか１種類のヒータ駆動回路を採用した場合、採用した種類のヒータ駆動回路のデメリットを必ず有することになる課題があった。
【０００７】
そこで、本技術は、ヒータを有する画像形成装置において、ヒータ駆動回路によるデメリットを低減することができる構成を有する画像形成装置を提供することを一つの目的とする。
【課題を解決するための手段】
【０００８】
本実施のある局面に従う画像形成装置は、ヒータと、交流電源からの交流電力を整流して、ヒータに通電する電流をＰＷＭ制御する第１ヒータ駆動回路と、交流電源をヒータに通電する第２ヒータ駆動回路と、ヒータを駆動する駆動回路を、第１ヒータ駆動回路と第２ヒータ駆動回路とのいずれか一方に切り替える切替回路と、切替回路での駆動回路の切り替えを制御する制御部とを備える。
【発明の効果】
【０００９】
本技術によれば、ＰＷＭ制御する第１ヒータ駆動回路と、交流電源をヒータに通電する第２ヒータ駆動回路とのいずれか一方に切り替える切替回路を備えているので、当該切替回路でヒータ駆動回路を適切に切り替えることで、それぞれのヒータ駆動回路によるデメリットを低減することができる。
【図面の簡単な説明】
【００１０】
【図１】画像形成装置の全体構成を示す図である。
【図２】画像形成装置における要部を示す図である。
【図３】スイッチング素子がオン期間中にヒータに流れる電流を上段に示し、オフ期間中の電流を下段に示す図である。
【図４】ヒータに流れる電流波形の一例を示す図である。
【図５】動作モード、要求性能、選択する駆動回路との関係を説明するための図である。
【図６】ヒータ駆動回路の切り替え動作を説明するためのタイミングチャートである。
【図７】ウォームアップモードから待機モードに切替える場合のヒータ駆動回路の切り替え動作を説明するためのタイミングチャートである。
【図８】トライアックと切替スイッチ回路との切り替え動作を説明するためのタイミングチャートである。
【図９】指示電力のデューティ比に基づいてヒータ駆動回路の切り替え場合を説明するための図である。
【図１０】検出したヒータの温度に基づいてヒータ駆動回路の切り替え場合を説明するための図である。
【図１１】検出したヒータの温度とウォームアップ完了温度との差に基づいてヒータ駆動回路の切り替え場合を説明するための図である。
【図１２】検出温度と第２回路から第１回路への切り替えタイミングとの関係を説明するための図である。
【発明を実施するための形態】
【００１１】
＜実施の形態＞
本発明の実施の形態について、図面を参照しながら詳細に説明する。なお、図中の同一または相当部分については、同一符号を付してその説明は繰返さない。
【００１２】
図１は、画像形成装置１の全体構成を示す図である。図２は、画像形成装置１における要部を示す図である。画像形成装置１は、例えば、複写機、プリンタまたはファクシミリ、もしくは、これらの機能を備えた複合機であって、画像をシート状の印刷媒体Ｍ（例えば用紙）に印刷する。そのために、画像形成装置１は、大略的に、給紙部２と、レジストローラ対３と、画像形成部４と、定着部５と、操作／入力部６と、制御部７と、電源部８を備える。以下、画像形成装置１の印刷動作時の各構成の動作について説明する。
【００１３】
給紙部２には、印刷媒体Ｍが積載される。給紙部２は、印刷媒体Ｍを一枚ずつ、図１中に破線で示す搬送経路ＦＰに送り出す。レジストローラ対３は、搬送経路ＦＰ上であって、給紙部２の下流側に設けられる。レジストローラ対３は、給紙部２から送り出された印刷媒体Ｍを一旦停止させた後、所定のタイミングで二次転写領域に送り出す。
【００１４】
画像形成部４は、例えば、周知の電子写真方式およびタンデム方式により、トナー画像を中間転写ベルト上に生成する。かかるトナー画像は、中間転写ベルトにより担持され、二次転写領域に向けて搬送される。
【００１５】
二次転写領域には、レジストローラ対３から印刷媒体Ｍが送り込まれ、また、画像形成部４からトナー画像が搬送されてくる。二次転写領域において、トナー画像は中間転写ベルトから印刷媒体Ｍに転写される。
【００１６】
定着部５において、加熱ローラ５１および加圧ローラ５３は当接してニップを形成する。また、加熱ローラ５１は、筒状の芯金内にヒータ５２を内蔵する。ヒータ５２は、例えばハロゲンヒータであって、電源部８から供給される電流により駆動される。加圧ローラ５３は、制御部７の制御下で回転する。加熱ローラ５１は加圧ローラ５３の回転に従動して回転する。印刷媒体Ｍがニップに送り込まれると、印刷媒体Ｍは、加圧ローラ５３とにより加圧され、また、加熱ローラ５１により加熱される。その結果、印刷媒体Ｍにトナーが定着する。その後、印刷媒体Ｍは排紙トレイに向けて送り出される。
【００１７】
定着部５はさらに、例えばサーミスタである温度検出部５４を含む。温度検出部５４は、ヒータ５２の温度を検出し、検出結果を制御部７に出力する。
【００１８】
操作／入力部６は、テンキーやタッチパネル等を含んでいる。ユーザは、操作／入力部６を操作して、各種情報を入力する。
【００１９】
制御部７において、ＣＰＵは、ＲＯＭに格納されたプログラムを、ＲＡＭを作業領域として使いながら実行する。制御部７は、様々な制御を行うが、本実施形態で重要であるのは、ヒータ５２の通電制御である。具体的には、制御部７は、効率よく温度検出部５４の検出結果が目標温度となるように、電源部８からヒータ５２に直接電流を供給するのか、ＰＷＭ制御して電源部８からヒータ５２に電流を供給するのかを切り替えている。
【００２０】
電源部８は、商用電源（交流電源）に接続して、ヒータ５２に電力を供給する構成である。具体的に、電源部８は、図２に示すように、整流回路８１と、ノイズフィルタ８２と、チョッパ回路８３と、交流配線８４Ａ，８４Ｂと、切替スイッチ回路１０１とを含む。まず、整流回路８１は、商用電源に接続される。
【００２１】
ノイズフィルタ８２は、例えばπ型フィルタであって、整流回路８１の出力側に縦続接続される。具体的には、ノイズフィルタ８２は、コイルＬ１と、コンデンサＣ１，Ｃ２と、を含んでいる。コイルＬ１はヒータ５２と直列に、コンデンサＣ１，Ｃ２はヒータ５２と並列に接続される。
【００２２】
チョッパ回路８３は、例えば降圧チョッパ回路であって、ノイズフィルタ８２の出力側に縦続接続される。この場合、チョッパ回路８３は、コイル（リアクトル）Ｌ２と、還流素子Ｄ１と、スイッチング素子８３１と、駆動回路８３２と、を含んでいる。
【００２３】
コイルＬ２は、コイルＬ１とヒータ５２との間に直列に接続される。還流素子Ｄ１は、例えばダイオードであって、コイルＬ１よりもノイズフィルタ８２側にヒータ５２と並列に接続される。より具体的には、還流素子Ｄ１のカソードがＬ１およびＬ２の間に、そのアノードがヒータ５２とスイッチング素子８３１のコレクタとの間に電気的に接続されるよう、還流素子Ｄ１は配置される。
【００２４】
また、スイッチング素子８３１は、例えばＩＧＢＴ（Ｉｎｓｕｌａｔｅｄ  Ｇａｔｅ  Ｂｉｐｏｌａｒ  Ｔｒａｎｓｉｓｔｏｒ）やＭＯＳ−ＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）であって、還流素子Ｄ１よりもノイズフィルタ８２側にヒータ５２と直列接続される。より具体的には、スイッチング素子８３１のコレクタがヒータ５２に、そのエミッタが整流回路８１の出力側に電気的に接続されるよう、スイッチング素子８３１は配置される。駆動回路８３２は、スイッチング素子８３１のゲートに接続されて、制御部７の制御下でスイッチング素子８３１のＰＷＭ制御のデューティ比および駆動周波数を設定する。以上のようなチョッパ回路８３の出力端子間にヒータ５２が接続される。
【００２５】
さらに、電源部８は、商用電源の交流電力をヒータ５２に直接供給することができるように商用電源とヒータ５２とを直接繋ぐ交流配線８４Ａ，８４Ｂが設けられている。交流配線８４Ａ，８４Ｂは、整流回路８１と、ノイズフィルタ８２と、チョッパ回路８３とを経由することなく商用電源とヒータ５２とを直接繋いでいる。
【００２６】
また、ヒータ５２と接続する先をチョッパ回路８３とするのか、交流配線８４Ａ，８４Ｂとするのかを切り替えるための切替スイッチ回路１０１が設けられている。切替スイッチ回路１０１は、ヒータ５２の両端に設けられており、交流配線８４Ａと接続される側の切替スイッチ１０１Ａと、交流配線８４Ｂと接続される側の切替スイッチ１０１Ｂとで構成されている。切替スイッチ１０１Ａおよび切替スイッチ１０１Ｂの切り替えは、制御部７により制御されている。
【００２７】
交流配線８４Ｂの途中には、トライアック１０２が設けられている。トライアック１０２は、切替スイッチ回路１０１によりヒータ５２と交流配線８４Ａ，８４Ｂとを接続した場合において、商用電源の交流電力をヒータ５２に供給するか否かを切り替えている。トライアック１０２の切り替えは、制御部７により制御されている。
【００２８】
電源部８には、整流回路８１と、ノイズフィルタ８２と、チョッパ回路８３とで構成され、商用電源からの交流電力を整流して、ヒータ５２に通電する電流をＰＷＭ制御する回路（第１ヒータ駆動回路）と、交流配線８４Ａ，８４と、トライアック１０２とで構成され、商用電源をヒータ５２に通電する回路（第２ヒータ駆動回路）とが設けられている。さらに、電源部８には、両回路を切り替えるための切替スイッチ回路１０１が設けられている。
【００２９】
そのため、画像形成装置１では、商用電源からの交流電力を整流回路により直流化し、高速スイッチング素子で供給する電力を制御してヒータを加熱するＰＷＭ制御のヒータ駆動回路（第１ヒータ駆動回路）と、商用電源からの交流電力を単純にオン／オフしてヒータを加熱する単純な制御のヒータ駆動回路（第２ヒータ駆動回路）とを適宜切り替えることが可能な回路構成となっている。
【００３０】
まず、第１ヒータ駆動回路の駆動について説明する。図３は、スイッチング素子８３１がオン期間中にヒータ５２に流れる電流を上段に示し、オフ期間中の電流を下段に示す図である。図４は、ヒータ５２に流れる電流波形の一例を示す図である。まず、整流回路８１は、商用電源から供給される交流電流を全波整流して直流電流を生成する。ノイズフィルタ８２は、整流回路８１の出力電流からノイズを除去する。ここで、ノイズフィルタ８２のコンデンサＣ１，Ｃ２は、スイッチング素子８３１を流れるパルス状電流の高周波成分が商用電源側に漏れることを防止している。
【００３１】
ヒータ５２に電力供給する際、制御部７からヒータ５２をオンさせる時間区間（つまり、デューティ比）を少なくとも示す制御信号が駆動回路８３２に入力される。駆動回路８３２は、入力制御信号が示すＰＷＭ制御のデューティ比でスイッチング素子８３１をオン／オフさせるための駆動信号を生成し、スイッチング素子８３１のゲートに供給する。ここで、スイッチング素子８３１は、商用電源の周波数よりもはるかに高い周波数（例えば、２０ｋＨｚ）で駆動される。
【００３２】
スイッチング素子８３１がオンすると、図３上段の矢印Ａで示すように、コイルＬ２およびヒータ５２に、整流回路８１で生成された直流電流がスイッチング素子８３１を介して流れる。この間、コイルＬ２は、自身を流れる直流電流の一部を磁気エネルギーとして蓄える。
【００３３】
一方、スイッチング素子８３１がオフすると、図３下段の矢印Ｂで示すように、スイッチング素子８３１がオンの間にコイルＬ２に蓄えられた磁気エネルギーが電流として放出されてヒータ５２に流れ始める。この電流は、回生ダイオードとしての還流素子Ｄ１を介してコイルＬ２に戻る。以上のような電源部８の動作により、ヒータ５２への入力電流の波形は、図４に示されるように正弦波に近くなる。これにより、電源部８の力率が向上すると共に、入力電流から高調波電流が低減される。
【００３４】
次に、第２ヒータ駆動回路の駆動について説明する。第２ヒータ駆動回路は、商用電源を全波整流せずにヒータ５２に直接供給する。なお、第１ヒータ駆動回路と第２ヒータ駆動回路とが短絡すると１次側（商用電源側）での短絡を引き起こすため、切替スイッチ回路１０１は、第１ヒータ駆動回路と第２ヒータ駆動回路とを、必ず排他条件で切り替える構成である。切替スイッチ回路１０１では、例えば、リレー回路における２回路Ｃ接点（切替接点）方式の様なコモン接点に対してどちらかの回路しか接続しない構成であることが必須である。
【００３５】
第１ヒータ駆動回路では、整流回路８１で交流電流を全波整流して、全波整流した電流をノイズフィルタ８２でノイズを除去し、その後スイッチング素子８３１を２０ｋＨｚ程度の高周波でＰＷＭ制御することにより高精度の電力制御を行っている。しかし、第１ヒータ駆動回路は、高周波チョッピング制御を行う必要があるので、ノイズが発生し易く、ノイズ対策用のフィルタに用いるコンデンサに高容量のコンデンサが必要となり、また整流回路８１での電圧降下、スイッチング素子８３１での電力損失等が発生して電力効率が悪くなるデメリットがある。
【００３６】
一方、第２ヒータ駆動回路では、トライアック１０２を制御することでヒータ５２に対して交流電流を供給するか否かの選択しかできないため、交流電流の供給時にはトライアック１０２での電力損失のみに抑えることができ、電力効率が高くなる。しかし、第２ヒータ駆動回路は、ヒータ５２に対して交流電流を供給するか否かの選択しかできないため、高精度の電力制御を行うことができないデメリットがある。
【００３７】
画像形成装置１では、動作モードに応じてヒータ駆動回路に要求される性能が異なるため、動作モードに応じて駆動させるヒータ駆動回路を切り替えることで、それぞれのヒータ駆動回路おけるデメリットよる影響を低減している。図５は、動作モード、要求性能、選択するヒータ駆動回路との関係を説明するための図である。図５では、画像形成装置１の動作モードとして、ウォームアップ（ＷＵ）モード、待機モード、印刷モード（画像形成モード）の大きく３つに分けた場合の例が示されている。ここで、ウォームアップモードは、電源投入後やスリープ復帰後など、ヒータ５２の温度が低くなっている場合において、一定の温度まで急速にヒータ５２を加熱する動作モードである。待機モードは、消費電力を抑えつつ、待機温度を維持できるようにヒータ５２を加熱する動作モードである。印刷モードは、定着に必要な温度（定着温度）を維持できるようにヒータ５２を加熱するための動作モードである。なお、待機温度は、定着温度と同じ温度であっても、定着温度に対して低い温度であってもよい。
【００３８】
ウォームアップモードでは、短時間に動作モードが完了することが望まれるため、ヒータ駆動回路に対する要求性能は、制御部７が電源部８に指示する電力（指示電力）の最大（ＭＡＸ）電力（ＰＷＭ制御のデューティ比１００％）で電力制御を行うことである。また、ウォームアップモードにおいて、ヒータ駆動回路では、電力効率を上げてウォームアップ時間（ＷＴ）を短縮することが望まれる。そのため、ウォームアップモードでは、ヒータ駆動回路として第２ヒータ駆動回路（第２回路）が選択される。
【００３９】
待機モードでは、印刷開始までの時間を安定させることが望まれるため、ヒータ駆動回路に対する要求性能は、環境変動に対する待機温度の温度リップルを低減できるように低い指示電力（ＰＷＭ制御の低デューティ比（０〜５０％））で制御することである。そのため、待機モードでは、ヒータ駆動回路として第１ヒータ駆動回路（第１回路）が選択される。なお、待機モードにおいて、印刷開始までの時間を問題にしない場合、電力効率を考慮してヒータ駆動回路に第２ヒータ駆動回路を選択してもよい。
【００４０】
印刷モードでは、定着温度の安定させることが望まれるため、ヒータ駆動回路に対する要求性能は、印刷毎の定着温度の温度リップルを低減できるように高い指示電力（ＰＷＭ制御の高デューティ比（５０〜１００％））で制御することである。そのため、印刷モードでは、ヒータ駆動回路として第１ヒータ駆動回路（第１回路）が選択される。
【００４１】
次に、動作モードの変更によるヒータ駆動回路の切り替え動作について説明する。図６は、ヒータ駆動回路の切り替え動作を説明するためのタイミングチャートである。まず、画像形成装置１の電源がオフ状態で、動作モードがオフ（１）である。そのため、制御部７は、動作モードがオフ（１）の場合、商用電源の入力（ＡＣ入力）がオフ状態、切替スイッチ回路（切替ＳＷ）１０１が第２回路を選択し、トライアック１０２がオフ状態、スイッチ素子（ＩＧＢＴ）８３１がオフ状態となるように制御する。
【００４２】
画像形成装置１の電源がオン状態となると、動作モードがウォームアップ（ＷＵ）モード（２）に移行する。制御部７は、動作モードがウォームアップモード（２）の場合、商用電源の入力（ＡＣ入力）がオン状態となってから少し遅れてトライアック１０２をオン状態となる。トライアック１０２がオン状態となると、切替スイッチ回路（切替ＳＷ）１０１が第２回路を選択しているので、第２回路が動作を開始する。第２回路がヒータ５２を最大電力（デューティ比１００％）で駆動することで、画像形成装置１は、電力効率を上げてウォームアップ時間（ＷＴ）を短縮することができる。
【００４３】
ヒータ５２の温度が待機目標温度（例えば、１８０℃）に到達した場合、制御部７は、画像形成装置１のウォームアップが完了したとして、第２回路の動作を停止する。第２回路の停止は、トライアック１０２をオフ状態とすることで行う。その後、制御部７は、動作モードをウォームアップモード（２）から待機モード（３）に切替え、切替スイッチ回路（切替ＳＷ）１０１が第１回路を選択するように切り替える。なお、切替スイッチ回路（切替ＳＷ）１０１が第１回路を選択する切替タイミングは、トライアック１０２をオフ状態とするタイミングに対して、少し遅れたタイミングとしてある。制御部７は、第１回路への切替スイッチ回路（切替ＳＷ）１０１の切り替えに少し遅れてスイッチ素子（ＩＧＢＴ）８３１をオン状態とする。第１回路は、スイッチ素子（ＩＧＢＴ）８３１をオン状態とすることで高周波チョッピング制御が開始され、低デューティ比（０〜５０％）の指示電力で供給する電力を制御してヒータ５２を駆動する。これにより、画像形成装置１は、ヒータ５２の温度を待機温度で精度よく維持することができる。
【００４４】
画像形成装置１で印刷が開始されると、制御部７は、動作モードを待機モード（３）から印刷モード（４）に切替える。印刷モード（４）に切替わると、第１回路は、高デューティ比（５０〜１００％）の指示電力で供給する電力を制御してヒータ５２を駆動する。これにより、画像形成装置１は、ヒータ５２の温度を定着温度で精度よく維持することができる。なお、待機モード（３）から印刷モード（４）に切替える際、制御部７は、駆動する回路を第１回路のまま維持しているので、同じ回路による電力制御で定着温度、消費電力の制御を継続することができる。
【００４５】
画像形成装置１で印刷が完了すると、制御部７は、動作モードを印刷モード（４）から待機モード（５）に切替える。待機モード（５）に切替わると、第１回路は、低デューティ比（０〜５０％）の指示電力で供給する電力を制御してヒータ５２を駆動する。これにより、画像形成装置１は、ヒータ５２の温度を待機温度で精度よく維持することができる。
【００４６】
画像形成装置１で待機モードが一定期間続くと、制御部７は、動作モードを待機モード（５）からスリープモード（６）に切替える。スリープモード（６）に切替わると、第１回路は、スイッチ素子（ＩＧＢＴ）８３１をオフ状態とすることで高周波チョッピング制御を停止し、ヒータ５２への電力供給を停止する。これにより、画像形成装置１は、ヒータ５２での消費電力を低減できる。なお、スリープモード（６）において、制御部７は、図６に示すように切替スイッチ回路（切替ＳＷ）１０１が第１回路を選択したままにしていても、切替スイッチ回路（切替ＳＷ）１０１が第２回路を選択するように切り替えてもよい。
【００４７】
スリープモード（６）中に画像形成装置１で印刷指示を受付けると、制御部７は、動作モードをスリープモード（６）からウォームアップ（ＷＵ）モード（７）に切替え、切替スイッチ回路（切替ＳＷ）１０１が第２回路を選択するように切り替える。なお、切替スイッチ回路（切替ＳＷ）１０１が第１回路を選択する切替タイミングは、トライアック１０２をオン状態とするタイミングに対して、少し早いタイミングとしてある。制御部７は、切替スイッチ回路（切替ＳＷ）１０１が第２回路を選択してから少し遅れてトライアック１０２をオン状態とする。トライアック１０２がオン状態となると、切替スイッチ回路（切替ＳＷ）１０１が第２回路を選択しているので、第２回路が動作を開始する。第２回路がヒータ５２を最大電力（デューティ比１００％）で駆動することで、画像形成装置１は、電力効率を上げてウォームアップ時間（ＷＴ）を短縮することができる。
【００４８】
ヒータ５２の温度が定着温度に到達した場合、制御部７は、動作モードをウォームアップモード（７）から印刷モード（８）に切替え、トライアック１０２をオフ状態にして、第２回路の動作を停止する。その後、制御部７は、切替スイッチ回路（切替ＳＷ）１０１が第１回路を選択するように切り替える。なお、切替スイッチ回路（切替ＳＷ）１０１が第１回路を選択する切替タイミングは、トライアック１０２をオフ状態とするタイミングに対して、少し遅れたタイミングとしてある。制御部７は、第１回路への切替スイッチ回路（切替ＳＷ）１０１の切り替えに少し遅れてスイッチ素子（ＩＧＢＴ）８３１をオン状態とすることで高周波チョッピング制御が開始され、高デューティ比（５０〜１００％）の指示電力で供給する電力を制御してヒータ５２を駆動する。これにより、画像形成装置１は、ヒータ５２の温度を定着温度で精度よく維持することができる。
【００４９】
上述したように、動作モードをウォームアップモード（２）から待機モード（３）に切替える場合、スリープモード（６）からウォームアップモード（７）に切替える場合、ウォームアップモード（７）から印刷モード（８）に切替える場合、切替スイッチ回路（切替ＳＷ）１０１が駆動する回路を切り替えている。この制御について、さらに詳しく説明する。図７は、ウォームアップモード（２）から待機モード（３）に切替える場合のヒータ駆動回路の切り替え動作を説明するためのタイミングチャートである。
【００５０】
切替スイッチ回路（切替ＳＷ）１０１は、ヒータ５２の一端に設けられた切替スイッチ１０１Ａと、ヒータ５２の他端に設けられた切替スイッチ１０１Ｂとで構成されており、スイッチの切り替えタイミングが厳密的には同じではない。図７に示すタイミングチャートでは、切替スイッチ１０１Ａが第２回路から第１回路に切り替わるタイミングと、切替スイッチ１０１Ｂが第２回路から第１回路に切り替わるタイミングとがズレており、切替スイッチ１０１Ａの方が先に切り替わっている。
【００５１】
切替スイッチ１０１Ａは第１回路に切り替わっているが、切替スイッチ１０１Ｂがまだ第２回路のままの時間を切替時間とする。この切替時間は、商用電源とヒータ５２とが半波分接続した状態であり、ヒータ５２での電力損失の原因となる。そのため、制御部７は、この切替時間を極力短くする必要があり、切替スイッチ１０１Ａ，１０１Ｂの接点開閉の遅れ分を考慮して切替時間の損失を最小限に抑えている。
【００５２】
次に、トライアック１０２と切替スイッチ回路（切替ＳＷ）１０１との切り替え動作について説明する。図８は、トライアック１０２と切替スイッチ回路（切替ＳＷ）１０１との切り替え動作を説明するためのタイミングチャートである。第２回路は、図２で示したように交流配線８４Ｂの途中にトライアック１０２を設けてある。トライアック１０２は、その特性上、オフ状態にしても直ぐにヒータ５２への通電が停止される訳ではなく、図８に示すようにオフ状態にしてからオフ後電流がヒータ５２に流れる。オフ後電流がヒータ５２が流れる期間は、商用電源の半周期程度の時間すある。そのため、制御部７は、トライアック１０２をオフ状態にしたと同時に、切替スイッチ回路（切替ＳＷ）１０１が第１回路を選択するように切り替えると、第２回路の電流が第１回路に流れることになる。そこで、制御部７は、切替スイッチ回路（切替ＳＷ）１０１が第１回路を選択するように切り替える場合、トライアック１０２をオフ状態にしてから商用電源の半周期経過後に、第１回路へ切り替える制御を行う必要がある。
【００５３】
具体的に、商用電源が５０Ｈｚの場合、トライアック１０２のオフ状態からヒータ５２への通電停止まで１０ｍｓ、商用電源が６０Ｈｚの場合、トライアック１０２のオフ状態からヒータ５２への通電停止まで８．４ｍｓとなる。そのため、制御部７は、第２回路から第１回路への切り替えを制御する場合、トライアック１０２のオフ状態から１０ｍｓ以上経過した後に、第１回路への切り替えを制御する。これにより、第２回路から第１回路への切り替えによる短絡を防止することができる。
【００５４】
切替スイッチ回路（切替ＳＷ）１０１の切り替えタイミングを、トライアック１０２のオフ状態から商用電源の半周期経過したか否かで判断する以外に、ゼロクロス検出回路を設けてトライアック１０２のゼロクロスを検出したか否かで判断してもよい。つまり、制御部７は、第２回路から第１回路への切り替えを制御する場合、ゼロクロス検出部が検出したトライアックのゼロクロスのタイミング以降に、第１回路への切り替えを制御する。これにより、第２回路から第１回路への切り替えによる短絡を防止することができる。
【００５５】
なお、上述の切替スイッチ回路（切替ＳＷ）１０１では、第２回路から第１回路に切り替わるタイミングについて説明したが、第１回路から第２回路に切り替わるタイミングについても、第１回路のスイッチ素子（ＩＧＢＴ）８３１のタイミングを考慮してもよい。例えば、制御部７は、第１回路のスイッチ素子（ＩＧＢＴ）８３１をオフ状態にした後、５μｓ（チョッピング１周期分２０ｋＨｚを想定）以降に第１回路への切り替えを制御する。つまり、制御部７は、第１回路の電位が所定電位以下となるまでの期間待って、第２回路で駆動する。これにより、第１回路から第２回路への切り替えによる短絡を防止することができる。
【００５６】
これまで、動作モードにより切替スイッチ回路（切替ＳＷ）１０１を切替えて第１回路および第２回路のいずれかを選択する制御について説明したが、動作モード以外の条件も考慮して第１回路および第２回路のいずれかを選択する制御について説明する。図９は、指示電力のデューティ比（Ｄｕｔｙ）に基づいてヒータ駆動回路の切り替え場合を説明するための図である。
【００５７】
図９において、制御部７は、指示電力のデューティ比（Ｄｕｔｙ）が１００％の場合、動作モードがウォームアップモードであるとして、切替スイッチ回路（切替ＳＷ）１０１を切替えて第２回路を選択する。制御部７は、指示電力のデューティ比（Ｄｕｔｙ）が５０〜８０％の場合、動作モードが通常の印刷モードであるとして、切替スイッチ回路（切替ＳＷ）１０１を切替えて第１回路を選択する。制御部７は、指示電力のデューティ比（Ｄｕｔｙ）が０〜５０％の場合、動作モードが通常の待機モードであるとして、切替スイッチ回路（切替ＳＷ）１０１を切替えて第１回路を選択する。
【００５８】
制御部７は、指示電力のデューティ比（Ｄｕｔｙ）が９５〜１００％の場合、動作モードが連続印刷モードであるとして、切替スイッチ回路（切替ＳＷ）１０１を切替えて第１回路を選択する。特に、極低温環境で厚紙を高速カラーで連続印刷する場合、定着ローラの熱が厚紙に吸収されヒータ５２の温度が大きく変化する。そのため、制御部７は、デューティ比（Ｄｕｔｙ）１００％とデューティ比（Ｄｕｔｙ）１００％未満との制御を繰返す必要があり、デューティ比（Ｄｕｔｙ）１００％で駆動する度に第２回路に切替えていたのでは切替損失が大きくなる。そのため、制御部７は、連続印刷モードの場合、指示電力のデューティ比（Ｄｕｔｙ）の変動に関わらず、第１回路の選択を維持する。
【００５９】
同様に、制御部７は、印刷指示を受付けておらず、指示電力のデューティ比（Ｄｕｔｙ）が９５〜１００％の場合、動作モードが連続待機モードであるとして、切替スイッチ回路（切替ＳＷ）１０１を切替えて第１回路を選択する。特に、極低温環境で連続待機している場合、ヒータ５２の温度が大きく変化する。そのため、制御部７は、デューティ比（Ｄｕｔｙ）１００％とデューティ比（Ｄｕｔｙ）１００％未満との制御を繰返す必要があり、デューティ比（Ｄｕｔｙ）１００％で駆動する度に第２回路に切替えていたのでは切替損失が大きくなる。そのため、制御部７は、連続待機モードの場合、指示電力のデューティ比（Ｄｕｔｙ）の変動に関わらず、第１回路の選択を維持する。
【００６０】
制御部７は、連続待機モードであっても、省エネを優先して待機モードから印刷モードへの待機復帰時間にある程度の許容（温度リップルを許容）があれば、デューティ比（Ｄｕｔｙ）１００％で駆動するときは、切替スイッチ回路（切替ＳＷ）１０１を切替えて第２回路を選択してもよい。
【００６１】
次に、検出したヒータ５２の温度に基づいてヒータ駆動回路の切り替える制御について説明する。図１０は、検出したヒータ５２の温度に基づいてヒータ駆動回路の切り替え場合を説明するための図である。図１０には、温度検出部５４で検出したヒータ５２の温度（検出温度）、動作モード、ウォームアップ完了温度（ＷＵ完了温度）、選択回路が図示されている。制御部７は、印刷指示を受付て温度検出部５４で検出したヒータ５２の温度に基づいて、第１回路および第２回路のいずれかを選択する。第２回路から第１回路への切り替えを行う場合、ヒータ５２を一旦（例えば、数十ｍｓ）オフ状態する必要があり、若干の電力損失が発生する。そのため、ヒータ５２の温度が３０℃程度と低い状態からウォームアップを開始する場合、第２回路を選択する方が電力効率を上げることができるが、逆にヒータ５２の温度が１７０℃程度と高い状態からウォームアップを開始する場合、回路を切り替えることによる電力損失が大きくなる。
【００６２】
図１０では、制御部７は、検出温度が１６０℃以下の場合に第２回路を選択し、検出温度が１６０℃より高い場合に第１回路を選択する。１６０℃の閾値を境に回路を切り替えると説明したが、１６０℃の閾値は例示であって、電源の入力電圧、環境温度などにより変更してもよい。なお、制御部７は、ヒータ５２がオフ状態となってから次にオン状態となるまでの時間を計測し、当該計測した時間に基づいて第１回路および第２回路のいずれかを選択してもよい。具体的に、制御部７は、ヒータ５２が前回オフ状態となってから次にオン状態となるまでの時間が所定期間（例えば、６０ｓ）内であれば、ヒータ５２の温度が比較的高いため第１回路を選択し、所定期間より長いのであれば、ヒータ５２の温度が比較的低いため第２回路を選択する。
【００６３】
さらに、制御部７は、待機モードの期間（待機期間）を計測し、当該計測した期間に基づいて第１回路および第２回路のいずれかを選択してもよい。具体的に、制御部７は、待機モードの期間が所定の基準（例えば、１ｈ）以内であれば、ヒータ５２の温度が比較的高く維持されているとして第１回路を選択し、所定の基準より長いのであれば、ヒータ５２の温度が低下しているとして第２回路を選択する。
【００６４】
次に、検出したヒータ５２の温度とウォームアップ完了温度との差に基づいてヒータ駆動回路の切り替える制御について説明する。図１１は、検出したヒータ５２の温度とウォームアップ完了温度との差に基づいてヒータ駆動回路の切り替え場合を説明するための図である。図１１には、温度検出部５４で検出したヒータ５２の温度（検出温度）、動作モード、ウォームアップ完了温度（ＷＵ完了温度）、ＷＵ完了温度と検出温度との差（ＷＵ完了−検出温度）、選択回路が図示されている。制御部７は、印刷指示を受付て温度検出部５４で検出したヒータ５２の温度と、印刷指示のウォームアップ完了温度との差に基づいて、第１回路および第２回路のいずれかを選択する。印刷指示のカラー印刷とモノクロ印刷とでは、ウォームアップ完了温度が異なる。同じヒータ５２の温度であっても、ウォームアップ完了温度が異なれば選択する回路も異なることになる。
【００６５】
図１１では、制御部７は、ＷＵ完了温度と検出温度との差が２０℃以上の場合に第２回路を選択し、ＷＵ完了温度と検出温度との差が２０℃より小さい場合に第１回路を選択する。温度差２０℃（所定の値）を境に回路を切り替えると説明したが、温度差２０℃は例示であって、電源の入力電圧、環境温度などにより変更してもよい。なお、ウォームアップ完了温度（ＷＵ完了温度）は、画像形成装置１の暖まり状況、印刷用紙の種類などを考慮して設定変更ができる様にしても良い。
【００６６】
図６に示したタイミングチャートでは、ヒータ５２の温度が待機目標温度（例えば、１８０℃）に到達した場合、制御部７は、第２回路の動作を停止して、第１回路を選択するように切替スイッチ回路（切替ＳＷ）１０１を切り替えると説明した。つまり、制御部７は、生産性を優先して待機目標温度まで最短でヒータ５２を加熱できるように、ヒータ５２の温度が待機目標温度になるまで第２回路を選択する制御を行っている（生産性モード（非省エネモード））。しかし、画像形成装置１の省エネを優先して、ヒータ５２の温度が待機目標温度になる前に第２回路を第１回路に切り替える制御を行ってもよい（省エネモード）。なお、画像形成装置１のユーザが、生産性モードで行うか、省エネモードで行うかを操作／入力部６で選択できるようにしてもよい。
【００６７】
図１２は、検出温度と第２回路から第１回路への切り替えタイミングとの関係を説明するための図である。図１２に示す縦軸は、温度検出部５４で検出したヒータ５２の温度（検出温度）、横軸は時間をそれぞれ示している。生産性を優先して待機目標温度まで最短でヒータ５２を加熱した場合、待機目標温度（例えば、１８０℃）に達するまでのＷＵ完了時間Ａが約２３秒となる。ヒータ５２の温度が待機目標温度（第１所定温度）に達したタイミング（切替Ａ）で、第２回路から第１回路への切り替えることになるため、ヒータ５２の温度は、待機目標温度をオーバーシュートすることになり温度リップルが大きくなる。その後、制御部７は、第１回路でヒータ５２に供給する電力を制御することで待機目標温度に近付ける制御を行う。
【００６８】
一方、省エネを優先して待機目標温度まで加熱する場合、待機目標温度よりも低い切替温度（第２所定温度）に達したタイミング（切替Ｂ）で、第２回路から第１回路への切り替えることになる。そのため、第１回路への切り替えた後のヒータ５２の温度上昇が抑えられ、待機目標温度（例えば、１８０℃）に達するまでのＷＵ完了時間Ｂが約２７秒と遅くなる。しかし、待機目標温度までの温度上昇を抑えることで、待機目標温度をオーバーシュートすることなく温度リップルを小さくすることができ、画像形成装置１の省エネを図ることができる。なお、切替温度は、例えば、１６０℃とする。
【００６９】
以上のように、本実施の形態に係る画像形成装置１では、制御部７が、ヒータ５２を駆動する駆動回路を、切替スイッチ回路１０１で第１ヒータ駆動回路と第２ヒータ駆動回路とのいずれか一方に切り替えることが可能である。そのため、画像形成装置１では、切替スイッチ回路１０１でヒータ駆動回路を適切に切り替えることで、それぞれのヒータ駆動回路おけるデメリットよる影響を低減することができる。
【００７０】
さらに、画像形成装置１では、駆動回路の切り替える切替スイッチ回路１０１が、ヒータ５２と第１ヒータ駆動回路との間で、かつヒータ５２と第２ヒータ駆動回路との間に設けられている。また、画像形成装置１では、切替スイッチ回路１０１（切替スイッチ１０１Ａ，１０１Ｂ）が、ヒータ５２の両端にそれぞれ設けられている。そのため、画像形成装置１では、ヒータ５２対して複数の駆動回路を確実に切り替えることができる。
【００７１】
なお、切替スイッチ回路１０１は、ヒータ５２と第１ヒータ駆動回路との間で、かつヒータ５２と第２ヒータ駆動回路との間に設けられ、ヒータ５２の両端にそれぞれ設けられる構成に限定されない。ヒータ５２に接続される第１ヒータ駆動回路と第２ヒータ駆動回路とを切り替えることができれば、いずれの構成であってもよい。
【００７２】
また、制御部７は、画像形成装置１の動作モードに応じて切替スイッチ回路１０１での駆動回路の切り替えを制御してもよい。特に、制御部７は、動作モードが、印刷（画像形成）モードおよび待機モードである場合に、第１ヒータ駆動回路でヒータ５２を駆動するように切替スイッチ回路１０１を切り替え、動作モードが、ウォームアップモードである場合に、第２ヒータ駆動回路でヒータ５２を駆動するように切替スイッチ回路１０１を切り替えてもよい。これにより、画像形成装置１は、動作モードに応じてヒータ５２を駆動する駆動回路を選択することができ、電力効率を上げてウォームアップ時間（ＷＴ）を短縮することができると共に、温度リップルを低減できる。
【００７３】
制御部７は、ヒータ５２の両端に設けた切替スイッチ１０１Ａ，１０１Ｂのうち、一方の切替スイッチ１０１Ａで駆動回路を切り替えた場合、他方の切替スイッチ１０１Ｂでも所定時間内に駆動回路の切り替えを行うように制御してもよい。これにより、切替スイッチ１０１Ａ，１０１Ｂの切替時間の損失を最小限に抑えることで、ヒータ５２への電力損失を削減できる。
【００７４】
制御部７は、ヒータ５２の両端に設けた切替スイッチ１０１Ａ，１０１Ｂのうち、一方の切替スイッチ１０１Ａで駆動回路を切り替えた場合、他方の切替スイッチ１０１Ｂも同じタイミングで駆動回路の切り替えを行うように制御してもよい。これにより、切替スイッチ１０１Ａ，１０１Ｂの切替時間の損失をなくして、ヒータ５２への電力損失を削減できる。
【００７５】
制御部７は、第１ヒータ駆動回路において、デューティ比が１００％となる駆動を行う場合、駆動回路を第２ヒータ駆動回路に切り替えるように切替スイッチ回路１０１を制御してもよい。これにより、画像形成装置１は、電力効率を上げてウォームアップ時間（ＷＴ）を短縮することができる。
【００７６】
制御部７は、連続して画像を形成する処理が実行されている場合、駆動回路を第２ヒータ駆動回路に切り替えずに、第１ヒータ駆動回路で駆動するように切替スイッチ回路１０１を制御してもよい。これにより、画像形成装置１は、駆動回路の切替損失を低減できる。
【００７７】
制御部７は、待機時の場合、駆動回路を第２ヒータ駆動回路に切り替えずに、第１ヒータ駆動回路で駆動するように切替スイッチ回路１０１を制御してもよい。これにより、画像形成装置１は、駆動回路の切替損失を低減できる。
【００７８】
制御部７は、切替スイッチ回路１０１に対して第１ヒータ駆動回路から第２ヒータ駆動回路への切り替えを制御する場合、第２ヒータ駆動回路で駆動するタイミングを、第１ヒータ駆動回路の電位が所定電位以下となるまでの期間後にしてもよい。これにより、画像形成装置１は、第１ヒータ駆動回路から第２ヒータ駆動回路への切り替えによる短絡を防止することができる。
【００７９】
制御部７は、温度検出部５４で検出した温度が所定の閾値（例えば、１６０℃）より高い場合、切替スイッチ回路１０１に対して第１ヒータ駆動回路へ切り替える制御を行い、検出した温度が所定の閾値以下の場合、切替スイッチ回路１０１に対して第２ヒータ駆動回路へ切り替える制御を行ってもよい。これにより、画像形成装置１は、検出した温度に基づいて回路を切り替えることにより電力損失を低減できる。
【００８０】
制御部７は、ヒータ５２が前回オフ状態となってから次にオン状態となるまでの期間が所定期間（例えば、６０ｓ）内の場合、切替スイッチ回路１０１に対して第１ヒータ駆動回路へ切り替える制御を行い、当該期間が所定期間より長い場合、切替スイッチ回路１０１に対して第２ヒータ駆動回路へ切り替える制御を行ってもよい。これにより、画像形成装置１は、ヒータ５２の温度を検出することなく、駆動回路の切り替えを制御することができる。
【００８１】
制御部７は、生産性モードが選択された場合（省エネモードが選択されなかった場合）、ウォームアップモードにおいて、ヒータ５２の温度が待機目標温度に達するまで、切替スイッチ回路１０１に対して第１回路へ切り替えを行わない。一方、制御部７は、省エネモードが選択された場合、ウォームアップモードにおいて、ヒータ５２の温度が切替温度に達するまで、切替スイッチ回路１０１に対して第１回路へ切り替えを行わない。これにより、画像形成装置１は、ユーザの要求に応じて生産性モードと省エネモードとを選択することができる。
【００８２】
制御部７は、温度検出部５４で検出した温度とウォームアップ完了温度との差が所定の値（例えば、２０℃）より小さい場合、切替スイッチ回路１０１に対して第１ヒータ駆動回路へ切り替える制御を行い、検出した温度とウォームアップ完了温度との差が所定の値以上の場合、切替スイッチ回路１０１に対して第２ヒータ駆動回路へ切り替える制御を行ってもよい。これにより、画像形成装置１は、検出した温度とウォームアップ完了温度との差に基づいて回路を切り替えることにより電力損失を低減できる。
【００８３】
制御部７は、待機モードの期間（待機期間）が所定の基準（例えば、１ｈ）内の場合、切替スイッチ回路１０１に対して第１ヒータ駆動回路へ切り替える制御を行い、待機モードの期間が所定の基準より長い場合、切替スイッチ回路１０１に対して第２ヒータ駆動回路へ切り替える制御を行ってもよい。これにより、画像形成装置１は、ヒータ５２の温度を検出することなく、駆動回路の切り替えを制御することができる。
【００８４】
＜変形例＞
上記実施形態において、ヒータ５２が前回オフ状態となってから次にオン状態となるまでの時間や、待機モードの期間（待機期間）に基づいて、第１回路および第２回路のいずれかを選択することを説明した。しかし、これに限定されず、制御部７は、例えば、スリープモードに突入してからスリープモードが解除されるまでの時間（省エネモード時間）を計測し、計測した時間に基づいて第１回路および第２回路のいずれかを選択するようにしてもよい。
【００８５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８６】
１  画像形成装置、２  給紙部、４  画像形成部、５  定着部、６  操作／入力部、７  制御部、８  電源部、５１  加熱ローラ、５２  ヒータ、５３  加圧ローラ、５４  温度検出部、８１  整流回路、８２  ノイズフィルタ、８３  チョッパ回路、８４Ａ，８４Ｂ  交流配線、１０１  切替スイッチ回路、１０１Ａ，１０１Ｂ  切替スイッチ、１０２  トライアック、８３１  スイッチング素子、８３２  駆動回路。
【図１】
2019049654.tif 000003
【図２】
2019049654.tif 000004
【図３】
2019049654.tif 000005
【図４】
2019049654.tif 000006
【図５】
2019049654.tif 000007
【図６】
2019049654.tif 000008
【図７】
2019049654.tif 000009
【図８】
2019049654.tif 000010
【図９】
2019049654.tif 000011
【図１０】
2019049654.tif 000012
【図１１】
2019049654.tif 000013
【図１２】
2019049654.tif 000014